(57)【要約】【課題】  障子の側面と窓枠との隙間が狭い場合でもガススプリングにより障子を開放可能な窓開放装置の提供。【解決手段】  窓枠１の縦枠１１に固定されるコ字形のブラケット２１と、このブラケット２１に保持されるガススプリング３１と、このガススプリング３１のロッド３５の移動に伴って上下動するコ字形のスライダ５５と、このスライダ５５に回転可能に上端部が保持される板状のアーム７１とを備える。ガススプリング３１は、ロッド３５を下方へ向けた状態でブラケット２１に取り付けられる。スライダ５５は、ガススプリング３１を挟み込んだ状態でブラケット２１に上下動可能にはめ込まれている。アーム７１の下端部は、障子３に回転可能に保持されている。【選択図】      図３
2007186962.tif 000002
【特許請求の範囲】
【請求項１】
窓枠の一端辺まわりに回転可能に保持された障子の開放装置であって、
シリンダに対して進退可能なロッドを有し、その軸線が窓枠の前記一端辺と垂直な端辺に沿うように配置されて、シリンダまたはロッドの一方が窓枠に保持されるガススプリングと、
一端部が前記ガススプリングのシリンダまたはロッドの他方に回転可能に保持され、シリンダまたはロッドの他方と共に移動すると共に、他端部が障子に回転可能に保持されるアームと
を備えることを特徴とする窓開放装置。
【請求項２】
前記障子の開放側端部を開放側へ付勢する第二アームをさらに備える
ことを特徴とする請求項１に記載の窓開放装置。
【発明の詳細な説明】
【技術分野】
【０００１】
本発明は、外倒し窓、内倒し窓および突き出し窓などの開閉窓に取り付けられる窓開放装置に関するものである。特に、排煙窓に使用される窓開放装置に関するものである。
【背景技術】
【０００２】
建物には、火災時の煙を室外へ放出するため、また、換気を行うために排煙窓が取り付けられることがある。排煙窓は、矩形枠状の窓枠に、矩形板状の障子が開閉可能に設けられている。この障子は、通常ラッチ錠などにより施錠されて閉じられており、解錠されることで、ガススプリングなどにより自動的に開放するよう構成されている。
【０００３】
図７および図８は、従来の窓開放装置が取り付けられた排煙窓を示す図であり、図７は平面視断面図であり、（ａ）は障子が閉じられた状態を示し、（ｂ）は（ａ）の状態から障子が開放され始めた初期状態を示している。また、図８は、障子を開放した状態の斜視図である。
【０００４】
図７および図８に示すように、従来の窓開放装置は、たとえばガススプリング１１１のシリンダ１１３が障子１１５に回転可能に保持され、ガススプリング１１１のロッド１１７の先端部が窓枠１１９に回転可能に保持されている。
【０００５】
また、図７に示すように、障子１１５が閉じられた状態では、ガススプリング１１１は、障子１１５の側面と窓枠１１９との間に配置され、外部から見えないよう構成されている。そして、障子１１５が閉じられた状態から、ガススプリング１１１のシリンダ１１３がロッド１１７に対して延出し、ガススプリング１１１が障子１１５の側面と窓枠１１９の突出片１２１との隙間ａを通過することで、障子１１５が自動的に開放する構成とされている。
【０００６】
このような従来の構成の場合、障子１１５の側面と窓枠１１９の突出片１２１との隙間ａが狭いと、ガススプリング１１１がこの隙間ａを通過することが出来ず、ひいてはガススプリング１１１を取り付けられない場合がある。
【特許文献１】実開昭６３−３７８５号公報
【発明の開示】
【発明が解決しようとする課題】
【０００７】
本発明は、上記事情に鑑みてなされたものであり、その主たる目的は、障子の側面と窓枠との隙間が狭い場合でも、ガススプリングにより障子を開放可能な窓開放装置を提供することにある。
【課題を解決するための手段】
【０００８】
本発明は、前記課題を解決するためになされたもので、窓枠の一端辺まわりに回転可能に保持された障子の開放装置であって、シリンダに対して進退可能なロッドを有し、その軸線が窓枠の前記一端辺と垂直な端辺に沿うように配置されて、シリンダまたはロッドの一方が窓枠に保持されるガススプリングと、一端部が前記ガススプリングのシリンダまたはロッドの他方に回転可能に保持され、シリンダまたはロッドの他方と共に移動すると共に、他端部が障子に回転可能に保持されるアームとを備えることを特徴とする窓開放装置である。
【０００９】
また、前記障子の開放側端部（上下他端部）を開放側へ付勢する第二アームをさらに備えることを特徴とする窓開放装置としてもよい。
【００１０】
あるいは、前記窓枠の上下一端辺に前記障子が回転可能に保持され、左右両端辺にコ字形のブラケットが設けられ、前記ガススプリングは、前記ブラケット内部にその軸線が上下方向に沿うように配置されて、シリンダがブラケットに保持されており、前記ガススプリングのロッドには、ガススプリングを挟み込んでブラケットにはめ込まれるコ字形のスライダが保持されており、前記アームの一端部は前記スライダに回転可能に保持されることを特徴とする窓開放装置としてもよい。
【発明の効果】
【００１１】
本発明によれば、障子の側面と窓枠との隙間が狭い場合でも、ガススプリングにより障子を開放可能な窓開放装置を提供することができる。
【発明を実施するための最良の形態】
【００１２】
以下、本発明の窓開放装置が排煙窓に適用される場合について、実施例に基づきさらに詳細に説明する。
【００１３】
図１から図３は、本発明の窓開放装置が設けられた排煙窓の一実施例を示す図であり、図１は平面視断面図である。また、図２（ａ）は障子が閉じられた状態における側面視断面図であり、図２（ｂ）はその主要部を示す室内側から見た図である。さらに、図３は図２の状態から障子が開放された状態を示す側面視断面図である。
【００１４】
本実施例の窓開放装置２０が取り付けられる排煙窓は、矩形枠状の窓枠１に、矩形板状の障子３が開閉可能に設けられている。具体的には、本実施例の排煙窓は、障子３の下端部が、窓枠１の下枠５にヒンジ７を介して回転可能に取り付けられ、障子３が室外側へ開放可能ないわゆる外倒し窓とされる。
障子３は、ラッチ錠などの施錠装置（不図示）により通常閉じた状態で窓枠１に保持されている。そして、火災時の煙を放出する場合や、空気を入れ替える場合などに施錠装置が解錠されて障子３がガススプリング３１の付勢力により自動的に開放される。
【００１５】
窓枠１のうち、左右に離間して配置される各縦枠９，１１には、それぞれ対向する方向へ延出する板状の突出片１３，１３が設けられている。具体的には、左側の縦枠９には、右側へ延出する板状の突出片１３が設けられ、右側の縦枠１１には、左側へ延出する板状の突出片１３が設けられている。
また、各縦枠９，１１には、突出片１３の手前側（室内側）に、突出片１３と同様に板状の延出片１５がそれぞれ対向する方向へ延出して設けられている。なお、延出片１５は、突出片１３より長く突出して形成されている。
【００１６】
障子３は、窓枠１にはめ込み可能な矩形板状とされ、その左右寸法は各縦枠９，１１の突出片１３，１３間より小さい寸法とされると共に延出片１５，１５間より大きい寸法とされる。また、障子３の前端部外周縁には、板面に沿って外方へ延出する薄い板状の係止片１７が形成されている。つまり、障子３の周囲四辺には、薄い板状の係止片１７が外方へ延出して形成されている。
そして、図１に示すように、障子３が閉じられた状態では、この係止片１７は、窓枠１の前記突出片１３に当接または近接し、障子３の後端部は延出片１５に当接または近接する。なお、障子３の構成は、適宜変更可能であり、矩形枠状のサッシにガラス板がはめ込まれたものなどでもよい。
【００１７】
本実施例の窓開放装置２０は、障子３の左右両側にそれぞれ取り付けられる。
以下においては、障子３の右側（右側の縦枠１１）に取り付けられる窓開放装置２０を中心に説明する。なお、障子３の左側にも同様にして窓開放装置２０が取り付けられる。
図４は、本実施例の窓開放装置２０の分解斜視図である。
【００１８】
本実施例の窓開放装置２０は、窓枠１の縦枠１１に固定されるブラケット２１と、このブラケット２１に保持されるガススプリング３１と、このガススプリング３１のロッド３５の移動に伴って上下動するスライダ５５と、このスライダ５５に回転可能に保持されるアーム７１とを主要部に備える。
【００１９】
ブラケット２１は、金属板を屈曲して形成された断面コ字形材とされる。ブラケット２１は、窓枠１の縦枠１１の突出片１３と延出片１５との間に取り付けられる。
具体的には、ブラケット２１は、その中央片２３が縦枠１１に重ね合わされて上下端部がネジ２２，２２で縦枠１１に固定される。この際、ブラケット２１は、そのコ字状溝２１ａを左側へ向けると共に上下方向に沿うように配置される。
【００２０】
ブラケット２１の開放両端片２５，２５には、その上下方向中央部より若干上方位置に、上下に細長い穴２７，２７が貫通して形成されている。また、ブラケット２１の中央片２３の上端部には、円柱状の取付部２９が左側へ突出して形成されている。なお、ブラケット２１の開放両端片２５，２５の下端部は、中央片側へ若干凹んで形成されている。
【００２１】
ガススプリング３１は、筒状のシリンダ３３に対して丸棒状のロッド３５が進退可能に設けられている。本実施例では、ガススプリング３１は、ロッド３５を下方へ向けた状態でブラケット２１に取り付けられる。
【００２２】
シリンダ３３の上端部には、略Ｌ字形の第一取付材３７が固定されている。この第一取付材３７は、水平に設けられる矩形板状の一片３９と、この一片３９の右端部から上方へ延出する略矩形板状の他片４１とから構成される。そして、第一取付材３７の他片４１には、左右方向に沿って円形の貫通穴４３が形成されている。
【００２３】
また、ガススプリング３１のロッド３５の下端部には、略Ｌ字形の第二取付材４５が固定されている。この第二取付材４５は、水平に設けられる矩形板状の一片４７と、この一片４７の左端部から下方へ延出する矩形板状の他片４９とから構成されている。そして、第二取付材４５の他片４９には、左右方向に沿って円形の貫通穴５１が形成されている。
【００２４】
ガススプリング３１は、ブラケット２１のコ字状溝２１ａ内に配置されて、第一取付材３７の他片４１の貫通穴４３に、ブラケット２１の取付部２９がはめ込まれてブラケット２１に保持される。
【００２５】
スライダ５５は、金属板を屈曲して形成された右側へ開放する断面コ字形材とされる。スライダ５５の前後寸法は、ブラケット２１の開放両端片２５，２５間に収容可能な寸法とされている。つまり、スライダ５５は、その開放両端片５７，５７がブラケット２１の開放両端片２５，２５間にはめ込み可能とされている。
【００２６】
また、スライダ５５の中央片５８の下端部には、円柱状の取付部５９が右側へ突出して形成されている。さらに、スライダ５５の中央片５８の上端部には、貫通穴６１が形成されている。
【００２７】
スライダ５５は、その開放両端片５７，５７を右側へ向けた状態で、ブラケット２１の開放両端片２５，２５間に上下動可能にはめ込まれる。この際、スライダ５５の開放両端片５７，５７間にガススプリング３１が配置される。また、スライダ５５の取付部５９が、ガススプリング３１の第二取付材４５の貫通穴５１に差し込まれる。
【００２８】
スライダ５５は、ブラケット２１にはめ込まれた状態において、その開放両端片５７，５７にそれぞれ案内部材６３がブラケット２１の長穴２７を介して設けられる。案内部材６３は、有底の短円筒状であり、その外径はブラケット２１の長穴２７の左右寸法に対応している。
【００２９】
案内部材６３は、ブラケット２１の長穴２７内に配置された状態で、その底部６５がスライダ５５の各端片５７に当接される。そして、案内部材６３の内部からスライダ５５の各端片５７にネジ６７がねじ込まれて、案内部材６３がスライダ５５に固定される。
このように、スライダ５５がブラケット２１にはめ込まれた状態では、スライダ５５の中央片５８は、ブラケット２１の開放両端片２５，２５の先端と面一または若干左側へ突出した状態でブラケット２１に保持される。スライダ５５がブラケット２１に取り付けられた状態では、スライダ５５とブラケット２１とにより、断面略矩形の筒体を構成し、この内部にガススプリング３１が配置される。
【００３０】
スライダ５５は、ガススプリング３１のロッド３５の上下動に伴って、ブラケット２１のコ字状溝２１ａに沿って上下に移動する。この際、スライダ５５の移動に伴って、案内部材６３がブラケット２１の長穴２７に沿って移動することで、スライダ５５はブラケット２１から脱落することがない。
【００３１】
アーム７１は、細長い矩形板状とされ、その上下各端部には丸穴７３，７５が貫通してそれぞれ形成されている。アーム７１の上端部には、丸穴７３を介してスライダ５５の中央片５８の貫通穴６１に段付円柱状のピン７７が差し込まれる。そして、ピン７７の先端部がかしめられてピン７７はスライダ５５に固定され、アーム７１が、このピン７７を軸に回転可能にスライダ５５に保持される。
【００３２】
また、アーム７１の下端部には、矩形板状の取付板７９が設けられる。取付板７９には、その中央部に貫通穴７９ａが形成されており、この貫通穴７９ａを挟む位置に貫通穴７９ｂ，７９ｂが形成されている。
【００３３】
取付板７９は、アーム７１の下端部に左側から重ね合わされて、アーム７１の下端部の丸穴７５を介して段付円柱状のピン８１が取付板７９に差し込まれる。そして、このピン８１の先端部がかしめられてピン８１は取付板７９に固定され、アーム７１の下端部に、ピン８１を軸に回転可能に取付板７９が設けられる。また、取付板７９は、その貫通穴７１ｂ，７１ｂから障子３の右側面下端部にネジがねじ込まれて固定される。
【００３４】
このように、縦枠１１と障子３とを架け渡すように設けられるアーム７１は、その板厚方向が左右方向に沿うように配置されている。したがって、窓枠１１に障子３を収容した状態では、スライダ５５の中央片５８にアーム７１が重ね合わされるよう配置される。
【００３５】
ところで、障子３が閉じられた状態において、アーム７１の上端部に設けられたピン７７は、アーム７１の下端部に設けられたピン８１より室内側（図２（ａ）において右側）に配置されている。つまり、アーム７１は、室内側へ行くに従って上方へ傾斜するよう設けられている。
【００３６】
また、障子３が閉じた状態では、ガススプリング３１のロッド３５は、シリンダ３３に押し込まれ、ガススプリング３１は圧縮された状態とされている。
そして、障子３が閉じられた状態から、施錠装置（不図示）を解錠すると、障子３の左右両側に設けられた本実施例の開放装置２０により、障子３は自動的に外側へ開放する。
【００３７】
つまり、障子３と窓枠１との施錠装置（不図示）が解錠されると、ガススプリング３１のロッド３５がシリンダ３３に対して下方へ突出する。ロッド３５がシリンダ３３に対して下方へ突出することで、スライダ５５もブラケット２１のコ字状溝２１ａに沿って下方へ移動する。また、このスライダ５５の移動に伴って、スライダ５５に保持されたアーム７１の上端部もピン７７により押されて下方へ移動する。
【００３８】
アーム７１は、傾斜した状態で保持されており、その上端部がスライダ５５に回転可能に保持されていると共に、その下端部が障子３に回転可能に保持されている。よって、アーム７１は、ガススプリング３１のロッド３５の突出力により下降しながら回転し、アーム７１の下端部は、取付板７９ひいては障子３に対して回転しながら室外側へ移動する。つまり、アーム７１の下端部は、障子３を室外側へ押し出していく。
これにより、アーム７１に連結された障子３は、ヒンジ７まわりに回転して室外側へ開放される。この際、ガススプリング３１を使用していることで、その開放は制動された速度で緩やかに行われる。なお、本明細書におけるガススプリング３１には、ショックアブソーバやダンパーも含む。
【００３９】
本実施例の窓開放装置２０によれば、ガススプリング３１は、そのロッド３５が上下動するのみで、障子３の側面と、窓枠１の突出片１３との間を通過することはない。つまり、本実施例では、障子３の側面と窓枠１の突出片１３との間を板状のアーム７１が通過する。よって、障子３の側面と、窓枠１（突出片１３）との隙間が狭い場合においても、本実施例の窓開放装置を取り付けることは可能である。
また、本実施例の窓開放装置２０は、障子３が閉じられた状態では、ガススプリング３１が、障子３の係止片１７、窓枠１の突出片１３および延出片１５に囲まれて隠ぺいされ、外部から見えない構成とされる。
【００４０】
本実施例の窓開放装置２０は、アーム７１の上端部が、スライダ５５を介してガススプリング３１のロッド３５に回転可能に保持されていることで、装置の上下寸法が大きくならない構成とされている。つまり、ロッド３５は、シリンダ３３に対して下方へ延出するが、スライダ５５はロッド３５の延出方向とは逆方向に延出して設けられている。そして、このスライダ５５の上端部にアーム７１の上端部が保持されていることで、ロッド３５の先端部（第二取付材４５）に直接アーム７１の上端部を取り付ける場合に比べて装置２０の上下寸法は小さくなる。
なお、本実施例では第二取付材４５とスライダ５５とを別部品としたが、一体とすることも可能である。すなわち、第二取付材４５をスライダ５５とすることが可能である。
【００４１】
ところで、障子３が閉じられた状態において、アーム７１の上端部のピン７７と下端部のピン８１との間隔（図２（ａ）における左右の距離）が狭い場合、つまりアーム７１の傾斜角度が小さく垂直に近い場合には、ガススプリング３１による障子３を押し出す力（開放力）が伝達され難い。
そこで、前記実施例の窓開放装置２０に、さらに別の開放力を加える手段として蹴り出し部材を付加してもよい。
【００４２】
以下、前記実施例の窓開放装置２０に蹴り出し部材を付加した変形例について説明する。なお、本変形例は、基本的には、前記実施例の窓開放装置と同様の構成である。よって、以下においては、両者の異なる部分を中心に説明し、対応する箇所には同一の符号を付して説明する。
【００４３】
図５および図６は、窓開放装置２０に蹴り出し部材が設けられた変形例を示す図であり、図５は側面視断面図であり、図６は図５の主要部を室内側から見た図である。
【００４４】
蹴り出し部材８５は、細長い略矩形板状の第二アーム８７を備え、この第二アーム８７の下端部は、ブラケット２１の取付部２９に回転可能に保持されている。本変形例では、ブラケット２１の取付部２９は、前記実施例より左側へ長く延出している。第二アーム８７は、ブラケット２１の開放両端片２５，２５の先端部に重ね合わされるように配置され、前記アーム７１とほぼ同平面上を回転するように取付部２９に取り付けられる。
なお、取付部２９の先端部には、取付部２９より大径な円板状の留め具８９がはめ込まれており、第二アーム８７の脱落が防止される。
【００４５】
また、取付部２９には、キックバネ９１が保持されており、このキックバネ９１の基端部は取付部２９またはブラケット２１に固定されている。また、このキックバネ９１の先端部９３は、略Ｌ字形に屈曲されており、この先端部９３は、第二アーム８７の室内側の一辺に形成された凹部９５に引っ掛けられている。これにより、第二アーム８７は、取付部２９まわりに室外側へ回転するようキックバネ９１により付勢されている。
【００４６】
また、ブラケット２１の開放両端片２５，２５の上下方向中途には、左側へ突出して矩形状の突部９７が形成されている。そして、第二アーム８７の室外側下端部には段部９９が形成されており、第二アーム８７が取付部２９まわりに室外側へ回転した際に、段部９９がブラケット２１の前記突部９７に当接することで、第二アーム８７は一定以上回転することがない。
【００４７】
障子３が閉じられた状態では、第二アーム８７の上端部は、障子３の係止片１７の室内側面に当接している（図５の二点鎖線の状態）。具体的には、第二アーム８７は、障子３の上端部（開放側端部）に当接している。
そして、障子３と窓枠１との施錠が解錠された際、第二アーム８７はキックバネ９１の付勢力により取付部２９まわりに室外側へ回転する。これにより、第二アーム８７の先端部が障子３を室外側へ押し出す。
そして、ある程度障子３が室外側へ押し出されたなら、上記と同様に、ガススプリング３１の付勢力により、アーム７１が障子３を室外側へ押し出し開放する。
【００４８】
このように本変形例の窓開放装置によれば、障子が閉じられた状態において、アーム７１の傾斜角度が小さく、初動の開放力が小さい場合に好適に使用できる。
【００４９】
本発明の窓開放装置は、前記実施例の構成に限らず、適宜変更可能である。たとえば、上記実施例では、外倒し窓に適用したが、内倒し窓にも同様に適用することが可能である。
【図面の簡単な説明】
【００５０】
【図１】本発明の窓開放装置が設けられた排煙窓の一実施例を示す図であり、平面視断面図である。
【図２】（ａ）は、図１の排煙窓の障子が閉じられた状態における側面視断面図であり、（ｂ）は（ａ）の主要部を示す室内側から見た図である。
【図３】図２の状態から障子が開放された状態を示す側面視断面図である。
【図４】図１の窓開放装置の分解斜視図である。
【図５】図１の窓開放装置に、蹴り出し部材が設けられた変形例を示す図であり、側面視断面図である。
【図６】図５の主要部を室内側から見た図である。
【図７】従来の窓開放装置が取り付けられた排煙窓を示す平面視断面図であり、（ａ）は障子が閉じられた状態を示し、（ｂ）は（ａ）の状態から障子が開放され始めた初期状態を示している。
【図８】図７の排煙窓の障子を開放した状態の斜視図である。
【符号の説明】
【００５１】
１  窓枠
３  障子
２１  ブラケット
３１  ガススプリング
３３  シリンダ
３５  ロッド
３７  第一取付材
４５  第二取付材
５５  スライダ
６３  案内部材
７１  アーム
７９  取付板
８５  蹴り出し部材
８７  第二アーム
【図１】
2007186962.tif 000003
【図２】
2007186962.tif 000004
【図３】
2007186962.tif 000005
【図４】
2007186962.tif 000006
【図５】
2007186962.tif 000007
【図６】
2007186962.tif 000008
【図７】
2007186962.tif 000009
【図８】
2007186962.tif 000010